(57)【要約】【課題】雌端子と雌側絶縁部材とを正確に組み付けること。【解決手段】筒状の雄側接続体１２１を有する雄端子１２０及び雄側接続体の先端面１２１ｂを覆う雄側絶縁部材１３０が設けられた雄コネクタ１１０の雄端子に対して接続される雌端子２０と、雌側絶縁部材３０と、を備え、雌端子は、雄側接続体を雌側空間部２１ａに挿入嵌合させる筒状の雌側接続体２１並びに雌側絶縁部材を収容空間部２２ａに収容及び保持させる筒状の収容体２２を有しており、雌側絶縁部材は、雌側空間部の筒軸と同一の軸線上で雌側空間部に配置され、雌側接続体と雄側接続体とが挿入嵌合状態のときに、外方筒体の空間部１３１ｂと雄側接続体の雄側空間部１２１ａとに挿入される触指防止体３１と、収容空間部の筒軸と同一の軸線上で収容空間部に収容された被収容体３２と、を有し、収容体と被収容体との間には、これら相互間を収容完了位置で固定させる固定構造６０を設けること。【選択図】図８
2019200842.tif 000002
【特許請求の範囲】
【請求項１】
筒状の雄側接続体を有する雄端子及び同一筒軸上で前記雄側接続体におけるコネクタ挿入方向側の先端面を覆う筒状の外方筒体を有する絶縁性の雄側絶縁部材が設けられた雄コネクタの前記雄端子に対して物理的且つ電気的に接続される雌端子と、
絶縁性の雌側絶縁部材と、
を備え、
前記雌端子は、同一筒軸上で前記雄側接続体を内方の雌側空間部に挿入嵌合させる筒状の雌側接続体を有し、かつ、前記雌側絶縁部材を内方の収容空間部に収容及び保持させる筒状の収容体を有しており、前記雌側接続体と前記収容体とを同一筒軸上で並列配置し、
前記雌側絶縁部材は、前記雌側空間部の筒軸と同一の軸線上で前記雌側空間部に配置され、前記雌側接続体と前記雄側接続体とが挿入嵌合状態のときに、前記外方筒体の内方の空間部と前記雄側接続体の内方の雄側空間部とに挿入される柱状又は筒状の触指防止体と、前記収容空間部の筒軸と同一の軸線上で前記収容空間部に収容された柱状又は筒状の被収容体と、を有し、
前記収容体と前記被収容体との間には、これら相互間を収容完了位置で固定させる固定構造を設けることを特徴とした雌コネクタ。
【請求項２】
前記固定構造は、前記収容体に設けた第１固定部と前記被収容体に設けた第２固定部とを備え、前記第１固定部と前記第２固定部とを互いに係合させることによって、前記収容体と前記被収容体とを前記収容完了位置で互いに固定させることを特徴とした請求項１に記載の雌コネクタ。
【請求項３】
前記第１固定部と前記第２固定部の内の一方は、前記収容体及び前記被収容体の軸線方向に対する直交方向に突出させた固定突出部として形成し、
前記第１固定部と前記第２固定部の内の他方は、前記固定突出部が挿入され、前記固定突出部を前記収容体及び前記被収容体の軸線方向と周方向とで各々係止する貫通孔状又は凹状の係止部として形成することを特徴とした請求項２に記載の雌コネクタ。
【請求項４】
前記固定構造は、前記収容体に設けた固定貫通孔と、前記被収容体に設け、前記収容完了位置で前記固定貫通孔に対向配置される固定空間部と、前記固定貫通孔及び前記固定空間部に挿入嵌合される固定部材と、を備えることを特徴とした請求項１に記載の雌コネクタ。
【請求項５】
前記収容体は、前記雌側接続体とは逆側の開口を前記雌側絶縁部材の挿入口とし、
前記収容体と前記被収容体との間には、前記挿入口から軸線方向に沿って挿入された前記被収容体を前記収容完了位置まで案内するガイド構造を設けることを特徴とした請求項１から４の内の何れか１つに記載の雌コネクタ。
【請求項６】
雌端子及び絶縁性の雌側絶縁部材が設けられた雌コネクタと、
雄端子及び絶縁性の雄側絶縁部材が設けられた雄コネクタと、
を備え、
前記雌端子は、内方に雌側空間部が形成された筒状の雌側接続体を有し、かつ、前記雌側絶縁部材を内方の収容空間部に収容及び保持させる筒状の収容体を有しており、前記雌側接続体と前記収容体とを同一筒軸上で並列配置し、
前記雄端子は、同一筒軸上で前記雌側空間部に挿入嵌合させる筒状の雄側接続体を有し、
前記雄側絶縁部材は、同一筒軸上で前記雄側接続体におけるコネクタ挿入方向側の先端面を覆う筒状の外方筒体を有し、
前記雌側絶縁部材は、前記雌側空間部の筒軸と同一の軸線上で前記雌側空間部に配置され、前記雌側接続体と前記雄側接続体とが挿入嵌合状態のときに、前記外方筒体の内方の空間部と前記雄側接続体の内方の雄側空間部とに挿入される柱状又は筒状の触指防止体と、前記収容空間部の筒軸と同一の軸線上で前記収容空間部に収容された柱状又は筒状の被収容体と、を有し、
前記収容体と前記被収容体との間には、これら相互間を収容完了位置で固定させる固定構造を設けることを特徴とした嵌合コネクタ。
【発明の詳細な説明】
【技術分野】
【０００１】
本発明は、雌コネクタ及び嵌合コネクタに関する。
【背景技術】
【０００２】
従来、雌端子が設けられた雌コネクタと雄端子が設けられた雄コネクタとを備え、その相互間を嵌合させることで雌端子と雄端子とを物理的且つ電気的に接続させる嵌合コネクタが知られている。嵌合コネクタにおいて、雌コネクタは、筒状の雌端子と、この雌端子の内方に配置された雌側絶縁部材と、を備えている。その雌側絶縁部材は、雌端子に手指を触れさせないように設けられたものであり、例えば柱状に形成して配置される。また、この嵌合コネクタにおいて、雄コネクタは、雌端子の内方に挿入嵌合される雄端子と、この雄端子の先端面を覆う雄側絶縁部材と、を備えている。その雄側絶縁部材は、雄端子の先端に手指を触れさせないように設けられたものである。雄端子と雄側絶縁部材には、雌コネクタと雄コネクタとが嵌合状態のときに雌側絶縁部材を挿入させる空間部が形成されている。この種の雌コネクタや嵌合コネクタについては、例えば、下記の特許文献１に開示されている。
【先行技術文献】
【特許文献】
【０００３】
【特許文献１】特開平８−７８０７９号公報
【発明の概要】
【発明が解決しようとする課題】
【０００４】
ところで、雌コネクタにおいては、雌端子と雌側絶縁部材との間の相対的な位置関係が所期の収容完了位置に対してずれないように構成しておくことによって、雌端子に対する触指防止機能を担保することができる。
【０００５】
そこで、本発明は、雌端子と雌側絶縁部材とを所期の相対的な位置関係で組み付けることが可能な雌コネクタ及び嵌合コネクタを提供することを、その目的とする。
【課題を解決するための手段】
【０００６】
上記目的を達成する為、本発明に係る雌コネクタは、筒状の雄側接続体を有する雄端子及び同一筒軸上で前記雄側接続体におけるコネクタ挿入方向側の先端面を覆う筒状の外方筒体を有する絶縁性の雄側絶縁部材が設けられた雄コネクタの前記雄端子に対して物理的且つ電気的に接続される雌端子と、絶縁性の雌側絶縁部材と、を備え、前記雌端子は、同一筒軸上で前記雄側接続体を内方の雌側空間部に挿入嵌合させる筒状の雌側接続体を有し、かつ、前記雌側絶縁部材を内方の収容空間部に収容及び保持させる筒状の収容体を有しており、前記雌側接続体と前記収容体とを同一筒軸上で並列配置し、前記雌側絶縁部材は、前記雌側空間部の筒軸と同一の軸線上で前記雌側空間部に配置され、前記雌側接続体と前記雄側接続体とが挿入嵌合状態のときに、前記外方筒体の内方の空間部と前記雄側接続体の内方の雄側空間部とに挿入される柱状又は筒状の触指防止体と、前記収容空間部の筒軸と同一の軸線上で前記収容空間部に収容された柱状又は筒状の被収容体と、を有し、前記収容体と前記被収容体との間には、これら相互間を収容完了位置で固定させる固定構造を設けることを特徴としている。
【０００７】
ここで、前記固定構造は、前記収容体に設けた第１固定部と前記被収容体に設けた第２固定部とを備え、前記第１固定部と前記第２固定部とを互いに係合させることによって、前記収容体と前記被収容体とを前記収容完了位置で互いに固定させることが望ましい。
【０００８】
また、前記第１固定部と前記第２固定部の内の一方は、前記収容体及び前記被収容体の軸線方向に対する直交方向に突出させた固定突出部として形成し、前記第１固定部と前記第２固定部の内の他方は、前記固定突出部が挿入され、前記固定突出部を前記収容体及び前記被収容体の軸線方向と周方向とで各々係止する貫通孔状又は凹状の係止部として形成することが望ましい。
【０００９】
また、前記固定構造は、前記収容体に設けた固定貫通孔と、前記被収容体に設け、前記収容完了位置で前記固定貫通孔に対向配置される固定空間部と、前記固定貫通孔及び前記固定空間部に挿入嵌合される固定部材と、を備えることが望ましい。
【００１０】
また、前記収容体は、前記雌側接続体とは逆側の開口を前記雌側絶縁部材の挿入口とし、前記収容体と前記被収容体との間には、前記挿入口から軸線方向に沿って挿入された前記被収容体を前記収容完了位置まで案内するガイド構造を設けることが望ましい。
【００１１】
また、上記目的を達成する為、本発明に係る嵌合コネクタは、雌端子及び絶縁性の雌側絶縁部材が設けられた雌コネクタと、雄端子及び絶縁性の雄側絶縁部材が設けられた雄コネクタと、を備え、前記雌端子は、内方に雌側空間部が形成された筒状の雌側接続体を有し、かつ、前記雌側絶縁部材を内方の収容空間部に収容及び保持させる筒状の収容体を有しており、前記雌側接続体と前記収容体とを同一筒軸上で並列配置し、前記雄端子は、同一筒軸上で前記雌側空間部に挿入嵌合させる筒状の雄側接続体を有し、前記雄側絶縁部材は、同一筒軸上で前記雄側接続体におけるコネクタ挿入方向側の先端面を覆う筒状の外方筒体を有し、前記雌側絶縁部材は、前記雌側空間部の筒軸と同一の軸線上で前記雌側空間部に配置され、前記雌側接続体と前記雄側接続体とが挿入嵌合状態のときに、前記外方筒体の内方の空間部と前記雄側接続体の内方の雄側空間部とに挿入される柱状又は筒状の触指防止体と、前記収容空間部の筒軸と同一の軸線上で前記収容空間部に収容された柱状又は筒状の被収容体と、を有し、前記収容体と前記被収容体との間には、これら相互間を収容完了位置で固定させる固定構造を設けることを特徴としている。
【発明の効果】
【００１２】
本発明に係る雌コネクタは、雌端子の収容体と雌側絶縁部材の被収容体との間に固定構造を設けているので、別々の部材として成形された雌端子と雌側絶縁部材とを相対的な位置関係が所期の収容完了位置となるように組み付けることができる。そして、本発明に係る嵌合コネクタは、その雌コネクタを具備しているので、この雌コネクタが奏する効果を得ることができる。
【図面の簡単な説明】
【００１３】
【図１】図１は、実施形態における抜去状態の嵌合コネクタを示す斜視図である。
【図２】図２は、実施形態における抜去状態の嵌合コネクタを別角度から見た斜視図である。
【図３】図３は、実施形態における抜去状態の嵌合コネクタを別角度から見た斜視図である。
【図４】図４は、実施形態における挿入嵌合状態の嵌合コネクタを示す斜視図である。
【図５】図５は、雌コネクタの分解斜視図である。
【図６】図６は、雌コネクタを別角度から見た分解斜視図である。
【図７】図７は、雄コネクタの分解斜視図である。
【図８】図８は、図１のＸ１−Ｘ１線断面図である。
【図９】図９は、図４のＸ２−Ｘ２線断面図である。
【図１０】図１０は、固定構造の変形形態を示す断面図である。
【図１１】図１１は、雌コネクタの変形形態を示す断面図である。
【発明を実施するための形態】
【００１４】
以下に、本発明に係る嵌合コネクタの実施形態を図面に基づいて詳細に説明する。尚、この実施形態によりこの発明が限定されるものではない。
【００１５】
［実施形態］
本発明に係る嵌合コネクタの実施形態の１つを図１から図１１に基づいて説明する。
【００１６】
図１から図４の符号１は、本実施形態の嵌合コネクタを示す。この嵌合コネクタ１は、所謂雌雄コネクタであり、雌端子２０及び絶縁性の雌側絶縁部材３０が設けられた雌コネクタ１０（図１から図６）と、雄端子１２０及び絶縁性の雄側絶縁部材１３０が設けられた雄コネクタ１１０（図１から図４及び図７）と、を備える。尚、その各図では、説明の便宜上、後述する雌ハウジング４０と雄ハウジング１４０を省略している。
【００１７】
この嵌合コネクタ１においては、雌コネクタ１０と雄コネクタ１１０とが相互間での挿入動作に伴い嵌合し、その挿入嵌合と共に雌端子２０と雄端子１２０とを挿入嵌合させることによって、その雌端子２０と雄端子１２０とを物理的且つ電気的に接続させる（図４）。一方、この嵌合コネクタにおいて１は、雌コネクタ１０と雄コネクタ１１０とが相互間での抜去動作に伴い引き離され、これに伴い、雌端子２０と雄端子１２０との間の物理的且つ電気的な接続が解消される（図１から図３）。その挿入嵌合方向と抜去方向は、互いに逆向きになっている。以下においては、その挿入嵌合方向が「コネクタ挿入方向」となり、その抜去方向が「コネクタ抜去方向」となる。これらの各方向は、自らを主体とし、自身の相手方コネクタに対するコネクタ挿抜時の向きを示すものとする。
【００１８】
最初に、雌コネクタ１０について説明する。
【００１９】
雌コネクタ１０は、雌端子２０と雌側絶縁部材３０の他に、これらを収容する雌ハウジング４０を備える（図８及び図９）。
【００２０】
雌端子２０は、金属等の導電性材料で成形する。この雌端子２０は、内方に雌側空間部２１ａが形成された筒状の雌側接続体２１を有する（図３、図８及び図９）。更に、この雌端子２０は、雌側絶縁部材３０を内方の収容空間部２２ａに収容及び保持させる筒状の収容体２２を有する（図５、図８及び図９）。この雌端子２０は、その雌側接続体２１と収容体２２とを同一筒軸上で並列配置する。ここでは、雌側接続体２１と収容体２２とを同一筒軸上で隣接させている。この例示では、その雌側接続体２１と収容体２２とを円筒状に形成している。更に、この雌端子２０は、収容体２２から雌側接続体２１とは逆側に突出させた締結体２３を有している（図１から図６、図８及び図９）。その締結体２３は、雌端子２０を通電対象となる導電性部材（図示略）に固定させるための部位である。この締結体２３には、貫通孔２３ａが形成されている。締結体２３は、その貫通孔２３ａに挿通させた雄螺子部（図示略）によって導電性部材に螺子止め固定される。
【００２１】
雌側接続体２１の雌側空間部２１ａには、同一筒軸上で雄端子１２０の後述する雄側接続体１２１が挿入嵌合される。雌端子２０と雄端子１２０は、挿入嵌合状態にある雌側接続体２１と雄側接続体１２１とによって物理的且つ電気的に接続される。
【００２２】
この例示では、雌側接続体２１と雄側接続体１２１との間に接点部材５０（図３、図５及び図６）を介在させ、その接点部材５０を介して雌側接続体２１と雄側接続体１２１とを物理的且つ電気的に接続させる。接点部材５０は、同一軸線上で互いに間隔を空けて配置した２つの環状部５１と、その２つの環状部５１を連結させる複数の接点部５２と、を有する（図５及び図６）。この接点部材５０は、その２つの環状部５１を雌側空間部２１ａの内周面に接触させつつ保持させることによって、雌側接続体２１に対して物理的且つ電気的に接続させる。この例示の環状部５１は、円環状に形成されている。それぞれの接点部５２は、軸周りに並べて配置されている。それぞれの接点部５２は、バネ性を有しており、挿入されてきた雄側接続体１２１に押圧されることよって反力としての弾発力を発生させる。この接点部材５０は、それぞれの接点部５２のバネ性を利用して、雄側接続体１２１に対して物理的且つ電気的に接続させる。
【００２３】
雌側絶縁部材３０は、合成樹脂等の絶縁性材料で成形する。この雌側絶縁部材３０は、雌ハウジング４０と相俟って手指を雌端子２０に触れさせないようにするための部材である。この雌側絶縁部材３０は、雌端子２０の内方の雌側空間部２１ａと収容空間部２２ａとに収容する。雌側絶縁部材３０は、雌側空間部２１ａの筒軸と同一の軸線上で当該雌側空間部２１ａに配置された柱状又は筒状の触指防止体３１を有する（図３、図５、図６、図８及び図９）。更に、この雌側絶縁部材３０は、収容空間部２２ａの筒軸と同一の軸線上で当該収容空間部２２ａに収容された柱状又は筒状の被収容体３２を有する（図１、図４から図６、図８及び図９）。この例示では、その触指防止体３１と被収容体３２とを円柱状に形成している。
【００２４】
触指防止体３１は、その外径が雌側空間部２１ａの内径よりも小さくなるように形成する。これにより、この触指防止体３１は、雌側空間部２１ａの内周面との間に筒状の空間を形成する。雄側接続体１２１は、その筒状の空間に挿入される。よって、触指防止体３１は、雌側接続体２１と雄側接続体１２１とが挿入嵌合状態のときに、その雄側接続体１２１の内方の後述する雄側空間部１２１ａに挿入される。
【００２５】
具体的に、この例示の触指防止体３１は、雌側接続体２１と雄側接続体１２１とが挿入嵌合状態のときに、後述する外方筒体１３１の内方の第１空間部１３１ｂと雄側空間部１２１ａとに挿入される。触指防止体３１は、コネクタ挿入方向側の先端から第１空間部１３１ｂに挿入されて、雄側空間部１２１ａに到達する。よって、この触指防止体３１は、周方向に亘る環状の面取り部３１ａをコネクタ挿入方向側の先端に設けることによって、第１空間部１３１ｂへの挿入を容易ならしめることが望ましい（図３及び図８）。面取り部３１ａは、曲面であっても平面であってもよい。この例示の面取り部３１ａは、テーパ状に形成している。
【００２６】
この雌側絶縁部材３０については、雌端子２０と別々に成形し、触指防止体３１を雌側接続体２１の雌側空間部２１ａに挿入すると共に、被収容体３２を収容体２２の収容空間部２２ａに挿入することによって、雌端子２０に対する組付けを行う。その組付けに際しては、例えば、被収容体３２を収容空間部２２ａに嵌合させる。
【００２７】
ここで、この雌コネクタ１０においては、別々に成形された雌端子２０と雌側絶縁部材３０とを組み付ける際に、雌側絶縁部材３０を収容体２２側から雌端子２０の内方に挿入する。その収容体２２においては、雌側接続体２１とは逆側の開口を雌側絶縁部材３０の挿入口２２ｂとして利用する（図１、図４、図５、図８及び図９）。雌側絶縁部材３０は、その挿入口２２ｂに対して触指防止体３１側から挿入していく。
【００２８】
この雌コネクタ１０においては、雌端子２０と雌側絶縁部材３０との間の相対的な位置関係が雌側絶縁部材３０の挿入後に所期の収容完了位置となるように、雌端子２０と雌側絶縁部材３０とを組み付ける。所期の収容完了位置とは、雌側絶縁部材３０に求められる機能（少なくとも触手防止機能）を担保することのできる雌端子２０に対する雌側絶縁部材３０の収容位置のことである。そのような組付けを可能にするべく、この雌コネクタ１０には、収容体２２と被収容体３２との間に、これら相互間を収容完了位置で固定させる固定構造６０を設ける（図１、図２、図４から図６、図８及び図９）。
【００２９】
例えば、その固定構造６０は、収容体２２に設けた第１固定部６１と被収容体３２に設けた第２固定部６２とを備えるものとして構成する（図２、図５、図６、図８及び図９）。この固定構造６０は、その第１固定部６１と第２固定部６２とを互いに係合させることによって、収容体２２と被収容体３２とを収容完了位置で互いに固定させる。例えば、第１固定部６１と第２固定部６２の内の一方は、収容体２２及び被収容体３２の軸線方向に対する直交方向に突出させた固定突出部として形成する。そして、その内の他方は、その固定突出部が挿入され、この固定突出部を収容体２２及び被収容体３２の軸線方向と周方向とで各々係止する貫通孔状又は凹状の係止部として形成する。この例示では、第１固定部６１を係止部として形成し、第２固定部６２を固定突出部として形成している。
【００３０】
この例示の第２固定部６２は、可撓性を有する可撓片部６３の自由端に設けている（図６、図８及び図９）。その可撓片部６３は、固定端と自由端とを被収容体３２の軸線方向に設けている。被収容体３２は、可撓片部６３が径方向の内側へと撓んだときに第２固定部６２を退避させる退避空間６４を有している（図１、図４から図６、図８及び図９）。第２固定部６２は、収容空間部２２ａの内周面に押動されながら可撓片部６３の撓みと共に退避空間６４に退避し、収容完了位置で可撓片部６３の撓みの解消と共に第１固定部６１に挿入される。
【００３１】
この雌コネクタ１０においては、第１固定部６１と第２固定部６２とを収容完了位置で互いに係合させるように、収容体２２の挿入口２２ｂから雌側絶縁部材３０を挿入していく。この固定構造６０においては、雌側絶縁部材３０が収容完了位置に到達した際に、固定突出部としての第１固定部６１が貫通孔状又は凹状の係止部としての第２固定部６２に挿入される。
【００３２】
この固定構造６０の固定機能により、この雌コネクタ１０においては、別々に成形された雌端子２０と雌側絶縁部材３０とを相対的な位置関係が所期の収容完了位置となるように組み付けることができる。よって、本実施形態の雌コネクタ１０は、雌端子２０に対する触手防止機能を確保することができる。また、この雌コネクタ１０は、雌側絶縁部材３０を収容完了位置で雌端子２０に組み付けることができるので、後述する調芯機能を確保することもできる。更に、この雌コネクタ１０は、雌端子２０と雌側絶縁部材３０との相対的な位置関係を固定構造６０で保ち続けることができるので、コネクタ嵌合後（雄コネクタ１１０を取り付けた後）も、コネクタ抜去後（雄コネクタ１１０を取り外した後）も、雌端子２０に対する触手防止機能や調芯機能を維持し続けることができる。
【００３３】
また、この雌コネクタ１０は、別々に成形された雌端子２０と雌側絶縁部材３０とを相対的な位置関係が所期の収容完了位置となるように組み付けることができるので、その組付け作業性を向上させることができる。これにより、この雌コネクタ１０においては、例えば、雌側絶縁部材３０が収容完了位置に到達する前に雌端子２０と雌側絶縁部材３０との組付けが終了した、との誤認を回避することができる。また、この雌コネクタ１０においては、雌側絶縁部材３０が収容完了位置を越えて更に奥まで挿入されてしまうことも回避できる。
【００３４】
固定構造６０は、そのような第１固定部６１と第２固定部６２とによるものに替えて、次の構成のものを用いてもよい。この固定構造６０は、収容体２２に設けた固定貫通孔６５と、被収容体３２に設け、収容完了位置で固定貫通孔６５に対向配置される固定空間部６６と、固定貫通孔６５及び固定空間部６６に挿入嵌合される固定部材６７と、を備えるものとして構成する（図１０）。例えば、収容体２２には、収容空間部２２ａを間に挟んで径方向で対向配置させた２つの円形の固定貫通孔６５を形成する。そして、被収容体３２には、２つの固定貫通孔６５に各々開口を対向配置させた円柱状の貫通孔を固定空間部６６として形成する。固定部材６７は、合成樹脂等の絶縁性材料で円柱状のピン部材の如く成形し、一端から一方の固定貫通孔６５に挿入し、この一端が他方の固定貫通孔６５に至るまで固定空間部６６に差し込んでいく。この固定部材６７は、２つの固定貫通孔６５と固定空間部６６とに嵌合させる。この雌コネクタ１０は、このような構成のものに固定構造６０を替えたとしても、先の例示と同様の効果を得ることができる。尚、ここでは合成樹脂等の絶縁性材料で成形した固定部材６７を例示しているが、固定部材６７は、金属等の導電性材料で円柱状のピン部材の如く成形されたものであってもよい。
【００３５】
ところで、この雌コネクタ１０は、収容体２２と被収容体３２との間に、その収容体２２の挿入口２２ｂから軸線方向に沿って挿入された被収容体３２を収容完了位置まで案内するガイド構造７０を設けることが望ましい（図１から図６、図８及び図９）。そのガイド構造７０は、収容体２２に設けた第１ガイド部７１と被収容体３２に設けた第２ガイド部７２とを備える（図１、図３から図６、図８及び図９）。例えば、第１ガイド部７１と第２ガイド部７２の内の一方は、収容体２２及び被収容体３２の軸線方向に対する直交方向に突出させたガイド突出部として形成する。そして、その内の他方は、被収容体３２が挿入口２２ｂから軸線方向に沿って挿入された際に、そのガイド突出部を収容完了位置まで案内するガイド溝部として形成する。この例示では、第１ガイド部７１をガイド溝部として形成し、第２ガイド部７２をガイド突出部として形成している。ここでは、矩形状の平板を円筒状に曲げ加工することによって雌側接続体２１と収容体２２とが形成される。よって、この例示では、その矩形状の平板における曲げ加工後に収容体２２となる側の２つの隅部を矩形に切り欠いておき、その２箇所の矩形の切欠きを平板の曲げ加工後に周方向で対向配置させる。この例示の第１ガイド部７１は、その対向配置された２箇所の矩形の切欠きによって形成されている。
【００３６】
この雌コネクタ１０においては、第１ガイド部７１と第２ガイド部７２とを互いに係合させるように（つまり、ガイド突出部としての第２ガイド部７２をガイド溝部としての第１ガイド部７１に挿入させるように）、収容体２２の挿入口２２ｂから雌側絶縁部材３０を挿入していく。これにより、この雌コネクタ１０においては、固定構造６０が何れの構成のものであったとしても、別々に成形された雌端子２０と雌側絶縁部材３０とを相対的な位置関係が所期の収容完了位置となるように容易に組み付けることができる。従って、この雌コネクタ１０は、雌端子２０と雌側絶縁部材３０の組付け作業性を更に向上させることができる。
【００３７】
ここで、この雌コネクタ１０には、雌側空間部２１ａよりも雌側接続体２１の筒軸方向に対する直交方向で外方に、同一筒軸上で雌側接続体２１におけるコネクタ挿入方向側の先端面２１ｂよりも突出させた絶縁性の環状体４２を設ける（図８及び図９）。この雌コネクタ１０は、その環状体４２の内径が基準手指の大きさよりも小さければ、雌端子２０への手指の接触抑制機能を環状体４２に担わせてもよい。基準手指とは、例えば、保護等級ＩＰＸＸＢの関節試験指のことをいう。但し、本実施形態の雌コネクタ１０においては、径方向の体格の大型化に伴い環状体４２で雌端子２０への手指の接触を抑制することが難しくなった場合を考慮して、触指防止体３１と環状体４２とによって、雌端子２０に手指を触れさせないように構成する。
【００３８】
そこで、触指防止体３１は、軸線方向にて、雌側接続体２１におけるコネクタ挿入方向側の先端面２１ｂよりも突出させる（図８及び図９）。この触指防止体３１においては、その先端面２１ｂよりもコネクタ挿入方向側の先端を突出させている。この雌コネクタ１０においては、触指防止体３１と環状体４２とで手指が雌端子２０に届かないように構成することによって、例えば大電流化に伴い体格を径方向に大型化させたとしても、雌端子２０への手指の接触を抑えることができる。ここでは、触指防止体３１と環状体４２との間の直交方向（雌側接続体２１の筒軸方向に対する直交方向）における間隔Ｓ１（図８）を基準手指の大きさよりも狭くする。例えば、この雌コネクタ１０においては、そのような間隔Ｓ１となるように、触指防止体３１の外径を定める。また、触指防止体３１の外径の大型化に制限が設けられている場合には、触指防止体３１と環状体４２とで手指が雌端子２０に届かないように、触指防止体３１の先端の突出量の増加を図ってもよい（図１１）。この場合には、環状体４２の先端面２１ｂからの突出量についても増加させる。例えば、環状体４２については、触指防止体３１の先端と同等の突出量の増加を図る。
【００３９】
更に、この雌コネクタ１０は、触指防止体３１におけるコネクタ挿入方向側の先端を雌側接続体２１の先端面２１ｂよりも突出させることで、雄コネクタ１１０との間で挿入嵌合を行う際に、雌端子２０と雄端子１２０との間の挿入嵌合が始まるよりも先に、触指防止体３１が先端から雄側絶縁部材１３０における外方筒体１３１の第１空間部１３１ｂに挿入されていく。従って、この雌コネクタ１０は、その先端を突出させた触指防止体３１によって、雄コネクタ１１０との間で挿入嵌合を行う際の調芯機能を備えることになる。雌コネクタ１０は、その調芯機能を得るために、他の挿入対象間の挿入が始まるよりも先に触指防止体３１と外方筒体１３１との間の挿入が始まるように、例えば、触指防止体３１の先端を軸線方向で環状体４２より突出させてもよい。また、この雌コネクタ１０は、その調芯機能を得るために、例えば、触指防止体３１と外方筒体１３１との間の挿入と、後述する雌側嵌合部４１と雄側嵌合部１４１との間の挿入と、が同等の時期に始まるようにしてもよい。
【００４０】
この例示の環状体４２は、雌ハウジング４０の後述する雌側嵌合部４１に設けている。
【００４１】
雌ハウジング４０は、合成樹脂等の絶縁性材料で成形する。この雌ハウジング４０には、雌端子２０を内方に収容して外方から覆う筒状の雌側嵌合部４１が形成されている（図８及び図９）。その雌側嵌合部４１は、雄ハウジング１４０の後述する雄側嵌合部１４１の内方に同一筒軸上で挿入嵌合される。この雌側嵌合部４１においては、コネクタ挿入方向側の環状の先端（コネクタ挿入方向側における端部）を環状体４２として利用する。よって、この雌側嵌合部４１は、筒軸方向にて、雌側接続体２１におけるコネクタ挿入方向側の先端面２１ｂよりも先端を突出させている。
【００４２】
次に、雄コネクタ１１０について説明する。
【００４３】
雄コネクタ１１０は、雄端子１２０と雄側絶縁部材１３０の他に、これらを収容する雄ハウジング１４０を備える（図８及び図９）。
【００４４】
雄端子１２０は、金属等の導電性材料で成形する。この雄端子１２０は、同一筒軸上で雌側接続体２１の雌側空間部２１ａに挿入嵌合させる筒状の雄側接続体１２１を有する（図１から図４及び図７から図９）。その雄側接続体１２１は、内方に雄側空間部１２１ａを有している。この例示では、その雄側接続体１２１を円筒状に形成している。
【００４５】
雄側絶縁部材１３０は、合成樹脂等の絶縁性材料で成形する。この雄側絶縁部材１３０は、手指を雄端子１２０におけるコネクタ挿入方向側の先端に触れさせないようにするための部材である。この雄側絶縁部材１３０は、雄ハウジング１４０と相俟って手指を雄端子１２０に触れさせないようにしている。雄側絶縁部材１３０は、同一筒軸上で雄側接続体１２１におけるコネクタ挿入方向側の環状の先端面１２１ｂを覆う筒状の外方筒体１３１を有する（図１、図２及び図７から図９）。この例示では、その外方筒体１３１を円筒状に形成している。
【００４６】
外方筒体１３１は、雄側接続体１２１と共に雌側接続体２１の雌側空間部２１ａに挿入される。よって、外方筒体１３１は、その挿入動作を阻害せぬように、例えば雄側接続体１２１と同等の外径に形成する。この外方筒体１３１は、周方向に亘る環状の面取り部１３１ａ（図１、図２及び図７）をコネクタ挿入方向側の先端に設けることによって、雌側空間部２１ａへの挿入を容易ならしめることが望ましい。面取り部１３１ａは、曲面であっても平面であってもよい。この例示の面取り部１３１ａは、テーパ状に形成している。
【００４７】
また、この外方筒体１３１の内方の第１空間部１３１ｂ（図１、図２及び図７から図９）には、触指防止体３１が挿入される。よって、外方筒体１３１は、その挿入動作を阻害せぬように第１空間部１３１ｂを形成する。
【００４８】
ここで、触指防止体３１は、先に示したように、雄側接続体１２１の雄側空間部１２１ａにも挿入される。従来の嵌合コネクタにおいては、雄側接続体１２１の内径と外方筒体１３１の内径とが同等の大きさになっており、触指防止体３１が雄側接続体１２１に接触する可能性がある。本実施形態の嵌合コネクタ１は、その触指防止体３１と雄側接続体１２１との間の接触が起こらないように構成する。尚、ここでは、説明の便宜上、従来の嵌合コネクタについても、本実施形態の嵌合コネクタ１の構成と同じ符号を付して説明している。
【００４９】
ここでは、雄側空間部１２１ａに絶縁性の筒状の内方筒体１３２を挿入し（図７から図９）、触指防止体３１と雄側接続体１２１との間に内方筒体１３２を介在させることによって、その間の接触を抑える。雄側空間部１２１ａには、同一筒軸上で内方筒体１３２が挿入される。触指防止体３１は、外方筒体１３１の第１空間部１３１ｂを経た後、内方筒体１３２の内方の第２空間部１３２ａ（図８及び図９）に挿入される。この例示では、その内方筒体１３２を円筒状に形成している。
【００５０】
この嵌合コネクタ１は、そのように触指防止体３１と雄側接続体１２１との間に内方筒体１３２を介在させているので、雌端子２０と雄端子１２０とを挿抜する際にも、そして、雌端子２０と雄端子１２０とが挿入嵌合状態のときにも、触指防止体３１と雄側接続体１２１との間の接触を抑えることができる。
【００５１】
例えば、従来の嵌合コネクタにおいては、雄側接続体１２１と比較して軟質の触指防止体３１が雄側空間部１２１ａへと挿入される際に、雄側接続体１２１における内周面側で且つ外方筒体１３１側の隅部に触指防止体３１が接触してしまうと、その隅部で触指防止体３１が削られてしまう可能性がある。そして、この従来の嵌合コネクタにおいては、使用中の振動等に伴って、触指防止体３１の削りかすが雌端子２０と雄端子１２０との間に入り込んでしまうと、その間での導通不良を引き起こしてしまう可能性がある。しかしながら、本実施形態の嵌合コネクタ１は、そのような触指防止体３１の削りかすの発生を抑え、その触指防止体３１の耐久性を向上させることができる。そして、これに伴い、本実施形態の嵌合コネクタ１は、雌端子２０と雄端子１２０との間の導通性能の低下を抑えることができるので、雌雄間を電気的に繋ぐコネクタとしての性能を保ち続けることができる。
【００５２】
このような機能を持つ内方筒体１３２は、外方筒体１３１とは別の部品として用意してもよい。しかしながら、部品点数の削減、これに伴う組付け作業性の向上や原価の低減等を図るならば、内方筒体１３２は、外方筒体１３１に一体化させることが望ましい。つまり、内方筒体１３２は、雄側絶縁部材１３０の一部分として設けることが望ましい。よって、本実施形態の雄側絶縁部材１３０は、内方筒体１３２を同一筒軸上で外方筒体１３１から突出させている。
【００５３】
例えば、雄側絶縁部材１３０は、金型内に設置した雄端子１２０に対して一体成形（例えば、インサート成形）されたものであってもよい。また、この雄側絶縁部材１３０については、雄端子１２０と別々に成形し、内方筒体１３２を雄側接続体１２１の雄側空間部１２１ａに挿入することによって、雄端子１２０に対して組み付けてもよい。その組付けに際しては、例えば、内方筒体１３２を雄側空間部１２１ａに嵌合させる。
【００５４】
また、内方筒体１３２の筒軸方向の長さは、雌側接続体２１と雄側接続体１２１とが挿入嵌合状態のときに、触指防止体３１におけるコネクタ挿入方向側の先端が第２空間部１３２ａの中に配置される長さとすることが望ましい。これにより、この嵌合コネクタ１は、内方筒体１３２が雄側絶縁部材１３０とは別の部品として用意されていたとしても、また、内方筒体１３２が雄側絶縁部材１３０の一部分として用意されていたとしても、触指防止体３１の先端の振れを抑えることができるので、触指防止体３１と雄側接続体１２１との間の接触抑制効果を高めることができる。
【００５５】
この雄コネクタ１１０には、外方筒体１３１よりも当該外方筒体１３１の筒軸方向に対する直交方向で外方に間隔を空けて、その外方筒体１３１と同一筒軸上に絶縁性の環状体１４２を設ける（図８及び図９）。雄コネクタ１１０においては、その外方筒体１３１と環状体１４２とによって、雄端子１２０に手指を触れさせないように構成する。ここでは、外方筒体１３１と環状体１４２との間の間隔（筒軸方向に対する直交方向における間隔）Ｓ２（図８）を基準手指の大きさよりも狭くすることによって、雄端子１２０に手指を触れさせないようにしている。基準手指とは、例えば、先に示した保護等級ＩＰＸＸＢの関節試験指のことをいう。
【００５６】
この例示の環状体１４２は、雄ハウジング１４０の後述する雄側嵌合部１４１に設けている。
【００５７】
雄ハウジング１４０は、合成樹脂等の絶縁性材料で成形する。この雄ハウジング１４０には、雄端子１２０を内方に収容して外方から間隔を空けて覆う筒状の雄側嵌合部１４１が形成されている（図８及び図９）。この雄コネクタ１１０においては、その雄端子１２０と雄側嵌合部１４１との間に筒状の空間部が形成される。その筒状の空間部には、雌端子２０の雌側接続体２１と雌ハウジング４０の雌側嵌合部４１とが同一筒軸上で挿入される。その雄側嵌合部１４１においては、コネクタ挿入方向側の環状の先端（コネクタ挿入方向側における端部）を環状体１４２として利用する。よって、この雄側嵌合部１４１は、筒軸方向にて、雄側接続体１２１におけるコネクタ挿入方向側の先端面１２１ｂよりも突出させている。
【００５８】
以上示したように、本実施形態の嵌合コネクタ１は、雌端子２０や雄端子１２０への手指の接触を抑えることができる。例えば、本実施形態の雌コネクタ１０は、径方向の体格が如何様な大きさであったとしても、雌側接続体２１の先端面２１ｂよりも突出させている触指防止体３１と環状体４２とによって、雌端子２０への手指の接触を抑えることができる。また、本実施形態の雌コネクタ１０は、雌端子２０と雌側絶縁部材３０とが別々の部材として成形されたとしても、その雌端子２０の収容体２２と雌側絶縁部材３０の被収容体３２との間に固定構造６０を設けることによって、雌端子２０と雌側絶縁部材３０とを相対的な位置関係が所期の収容完了位置となるように組み付けることができる。これにより、この雌コネクタ１０は、雌端子２０に対する触手防止機能を確保することができる。
【００５９】
更に、本実施形態の嵌合コネクタ１は、雌端子２０や雄端子１２０への手指の接触を抑えることができるのみならず、その触手防止機能を確保しながらも、内方筒体１３２による触指防止体３１と雄側接続体１２１との間の接触抑制機能で、雌端子２０と雄端子１２０との間の導通性能の低下を抑えることができる。
【００６０】
更に、本実施形態の雌コネクタ１０は、雌端子２０に対する触手防止機能を確保しながらも、触指防止体３１によって、雄コネクタ１１０との間で挿入嵌合を行う際の調芯機能を得ることができる。つまり、この雌コネクタ１０は、雌端子２０に対する触手防止機能とコネクタ嵌合させる際の調芯機能とを触指防止体３１に兼務させることができる。その調芯機能については、触指防止体３１の先端を雌側接続体２１の先端面２１ｂよりも突出させることによって、より有効なものとなる。また、その調芯機能については、固定構造６０の固定機能による効果と相俟って、より有効なものとなる。本実施形態の嵌合コネクタ１は、その雌コネクタ１０を具備しているので、この雌コネクタ１０が奏するこれらの効果を得ることができる。
【００６１】
更に、本実施形態の雌コネクタ１０は、雌端子２０と雌側絶縁部材３０とが別々の部材として成形されたとしても、その雌端子２０の収容体２２と雌側絶縁部材３０の被収容体３２との間に固定構造６０を設けることによって、雌端子２０と雌側絶縁部材３０の組付け作業性を向上させることができる。本実施形態の嵌合コネクタ１は、その雌コネクタ１０を具備しているので、この雌コネクタ１０が奏する効果を得ることができる。
【符号の説明】
【００６２】
１  嵌合コネクタ
１０  雌コネクタ
２０  雌端子
２１  雌側接続体
２１ａ  雌側空間部
２２  収容体
２２ａ  収容空間部
２２ｂ  挿入口
３０  雌側絶縁部材
３１  触指防止体
３２  被収容体
６０  固定構造
６１  第１固定部
６２  第２固定部
６５  固定貫通孔
６６  固定空間部
６７  固定部材
７０  ガイド構造
７１  第１ガイド部
７２  第２ガイド部
１１０  雄コネクタ
１２０  雄端子
１２１  雄側接続体
１２１ａ  雄側空間部
１２１ｂ  先端面
１３０  雄側絶縁部材
１３１  外方筒体
１３１ｂ  第１空間部（空間部）
【図１】
2019200842.tif 000003
【図２】
2019200842.tif 000004
【図３】
2019200842.tif 000005
【図４】
2019200842.tif 000006
【図５】
2019200842.tif 000007
【図６】
2019200842.tif 000008
【図７】
2019200842.tif 000009
【図８】
2019200842.tif 000010
【図９】
2019200842.tif 000011
【図１０】
2019200842.tif 000012
【図１１】
2019200842.tif 000013